(57)【要約】【課題】  軽量で低コストに構成されながら断熱性に富み、しかも、使用ずみティーバッグからの液だれを防止することのできるティーカップの保温蓋を提供する。【解決手段】  保温蓋１は、ティーバッグにて茶を抽出するときティーカップにかぶせて使用するものである。吸水性のある薄葉紙１４を、複数枚重ね、少なくとも一部を露出させまたは露出可能にして、保温蓋１のうちティーカップＡを覆う覆碗部１１内に設けている。薄葉紙１４を露出可能にするために、最下面の樹脂シート１２には、放射状の切込み１２ｂを形成して開放可能にした開口部１２ａを設けている。【選択図】      図１
2006238906.tif 000002
【特許請求の範囲】
【請求項１】
ティーバッグにて茶を抽出するときティーカップにかぶせる保温蓋であって、
吸水性のある薄葉紙が、複数枚重ねられ、少なくとも一部を露出させまたは露出可能にして、保温蓋のうちティーカップを覆う部分に取り付けられていることを特徴とするティーカップの保温蓋。
【請求項２】
ティーバッグの下げひもが上記複数枚の薄葉紙を貫いて通されていることを特徴とする請求項１に記載したティーカップの保温蓋。
【請求項３】
ティーカップにかぶせられるとき上記複数枚の薄葉紙の下面となる側が、低透水性のシートによって覆われており、そのシートが、薄葉紙における上記下げひもの貫通部分の下に、ティーバッグを通り抜けさせ得る開放可能な部分を有することを特徴とする請求項２に記載したティーカップの保温蓋。
【請求項４】
ティーカップにかぶせられるとき上記複数枚の薄葉紙の上になる側に、抽出ずみのティーバッグを収容できるポシェット部分が設けられ、
ティーバッグの下げひもが、上記複数枚の薄葉紙および当該ポシェット部分を貫いて通されていることを特徴とする請求項１〜３のいずれかに記載したティーカップの保温蓋。
【請求項５】
上記したポシェット部分の内側にさらに吸水材が設けられていることを特徴とする請求項４に記載したティーカップの保温蓋。
【請求項６】
上記のポシェット部分が折りたたみ可能であり、使用の前後には保温蓋の全体が平面状にされ得ることを特徴とする請求項４または５に記載したティーカップの保温蓋。
【請求項７】
上記複数枚の薄葉紙として、２〜１０枚のティッシュペーパーが使用されていることを特徴とする請求項１〜６のいずれかに記載したティーカップの保温蓋。
【発明の詳細な説明】
【技術分野】
【０００１】
請求項に係る発明は、ティーバッグにて茶を抽出するときティーカップにかぶせる保温蓋に関するものである。
【背景技術】
【０００２】
ティーバッグは、一人前の茶を抽出するのに必要な茶葉を濾過袋の中に入れ、袋を閉じて糸を付けたものである。茶の抽出は、使用するカップ内に濾過袋を入れ、上からお湯を注ぐことによって行う。糸を引き上げて濾過袋をカップの外に移動することにより、抽出を完了する。ティーバッグはその利便性から世界中で広く使用されており、袋の形状や材質、茶葉の種類等について様々なものがある。
【０００３】
しかし、ティーバッグを使用する場合、抽出中の温度を保つことが一般に容易でない。ティーポットによる場合に比べると湯量そのものが少なく、カップや大気に熱量を奪われて温度が低下しやすいからである。カテキン類（主にタンニン）等の香り成分は１００℃近くの温度で抽出することが必要だが、ティーバッグ抽出の場合、温度を保ちにくいために、茶葉の旨味成分が十分には抽出できないことになる。
【０００４】
そのような観点から、ティーバッグによってより美味しく茶を抽出するため、抽出中のティーカップに蓋（保温蓋）がかぶせられることがある。蓋をすれば保温性がよくなり、蒸らし効果によって美味しい茶が抽出される。たとえば下記の特許文献１には、図５に示すとおり、厚紙製の蓋４１をティーバッグ８の糸８ａの先端に止め付けておき、抽出中にその蓋４１をカップＡにかぶせる例が記載されている。
【特許文献１】実用新案登録第３０１３５５９号公報
【発明の開示】
【発明が解決しようとする課題】
【０００５】
上記特許文献１の例（図５参照）では、ティーカップから上方の空気中への熱移動を厚紙製の蓋によって遮断するが、厚紙に十分な断熱性をもたせようとすると、その厚さが増し、重くなったりコストが高くなったりしがちである。
【０００６】
また、ティーバッグ抽出には使用ずみティーバッグの処理についての課題があるが、特許文献１の手段によってはそのような課題が解決されない。すなわち、使用ずみのティーバッグは１０ｃｃ前後の水分（茶）を含んでいて、それをゴミ箱等へ移動するときにも、カップソーサー上に置いたことによりカップの底部を濡らした場合にも、衣服や床面に液だれが生じてしまいがちである。しかし、図５に示す蓋には、そのような液だれを防止する機能は全くそなわっていないといえる。
【０００７】
請求項に係る発明は、軽量で低コストに構成されながら断熱性に富み、しかも、使用ずみティーバッグからの液だれを防止することのできるティーカップの保温蓋を提供するものである。
【課題を解決するための手段】
【０００８】
この出願に係る発明は、ティーバッグにて茶を抽出するときティーカップにかぶせる保温蓋において、吸水性のある薄葉紙を、複数枚重ね、少なくとも一部を露出させまたは露出可能にして、保温蓋のうちティーカップを覆う部分に取り付けたことを特徴とする。
「薄葉紙」とは、秤量が３０g/m2  程度以下の薄い紙をいう。発明の保温蓋に使用するものとしては、ちり紙やティッシュペーパーのように１０g/m2  程度の家庭用薄葉紙がとくに好ましい。
【０００９】
この発明にはつぎのような作用的特徴がある、すなわち、
a)  抽出中のティーカップをよく保温でき、茶を美味しく抽出することができる。薄葉紙を複数枚重ねて取り付けるために保温蓋の中に空気が多く含まれ、したがって断熱性が高いからである。紙の間の空気によって断熱性が発揮されるので、軽量であるうえにコストも低いという利点がある。
b)  使用ずみティーバッグからの液だれを防止することができる。吸水性のある薄葉紙が、少なくとも一部を露出させ、または露出可能にして取り付けられているので、抽出後のティーバッグをその薄葉紙に接触させることにより、ティーバッグが含む水分を簡単に吸い取らせ得るからである。こうしてティーバッグの吸水を行うと、茶のしずくが滴下して衣服や床に染みを作ることが避けられる。
【００１０】
発明の保温蓋についてはさらに、ティーバッグの下げひもを、上記複数枚の薄葉紙を貫いて通しておくのが好ましい。
【００１１】
そのようにすれば、抽出後に下げひもを引いてティーバッグを引き上げると、水分を含んだティーバッグが薄葉紙に接触して吸水されるからである。そのまま下げひもを引き続けると、薄葉紙が吸水しながら軟らかくなって破れ、ティーバッグが上方に引き出されることになる。こうして取り出したティーバッグは水分が少なくなっているので、それをゴミ箱等へ移動するときにも液だれは起こさず、またカップソーサー上に置いたときにもカップの底部を濡らして雫を落とすこともない。
【００１２】
ティーカップにかぶせられるとき上記複数枚の薄葉紙の下面となる側は、低透水性のシートによって覆い、そのシートのうち、薄葉紙における上記下げひもの貫通部分の下に、ティーバッグを通り抜けさせ得る開放可能な部分を設けるとよい。
たとえば図１および図２の保温蓋１では、薄葉紙１４の下に、円形の開口１３ａを含む環状のシート１３と、開口１３ａの下に放射状の切込み１２ｂを有する樹脂シート１２とを重ねて貼り付け、それらの中央部に下げひも８ａを上下方向に貫通させている。覆碗部１１の底面を覆う樹脂シート１２は低透水性のものであり、切込み１２ｂがあるために開放可能で、ティーバッグ８を下から上へと通り抜けさせることができる。図３・図４に示す各保温蓋２・３においても、覆碗部２１・３１の各底面には、同様に開放可能な部分を有する樹脂シート２２・３２を貼り付けている。
【００１３】
薄葉紙の下面側を低透水性のシートによって覆うことにより、抽出中の蒸気によって薄葉紙が濡れてしまう不都合が生じないので、薄葉紙の断熱性や吸水能力が失われない。当該シートには、ティーバッグを通り抜けさせ得る開放可能な部分を設けるので、下げひもを引き上げるだけでティーバッグを容易に薄葉紙に接触させることができる。
【００１４】
発明の保温蓋ではさらに、ティーカップにかぶせるとき上記複数枚の薄葉紙の上になる側に、抽出ずみのティーバッグを収容できるポシェット部分を設け、また、ティーバッグの下げひもを、上記複数枚の薄葉紙および当該ポシェット部分を貫くように通すのが好ましい。
図１・図２に示す保温蓋１、および図３に示す保温蓋２には、それぞれ図示のようにポシェット部分１７・２７を形成している。
【００１５】
薄葉紙の上にポシェット部分を設けておくと、抽出ずみのティーバッグをその部分に入れて保温蓋とともに捨てることができる。そうすると、一層確実に液だれの発生を防止できて好ましい。また、ティーバッグの下げひもを上記のとおりポシェット部分をも貫くように通しておけば、抽出後に下げひもを引き上げるだけで、ティーバッグをポシェット部分に収容することが可能になる。
【００１６】
保温蓋における上記ポシェット部分の内側には、さらに吸水材を設けておくのもよい。
そうすれば、上記の薄葉紙とこの吸水材との双方がもつ吸水作用によって、液だれが一層確実に防止される。
【００１７】
発明の保温蓋においては、上記のポシェット部分を折りたたみ可能にして、使用の前後には保温蓋の全体が平面状にされ得るよう構成するのが望ましい。
図１・図２に示す保温蓋１では、ポシェット部分１７を含む上板部１６を図２（ａ）の仮想線に示すように折り曲げ、図３の保温蓋２では、ポシェット部分２７を含む上室部２６を図３（ａ）の折り目２２ｃ・２６ａにしたがって図３（ｃ）のように扁平に折りたたみ得るように構成している。
【００１８】
ポシェット部分をこのように構成しておくと、使用の前後（つまり茶を抽出する前、および抽出してティーバッグを収容した後）に保温蓋の全体を平面状に変形できるので、保温蓋をコンパクトな状態で販売し、かつ捨てることが可能になる。
【００１９】
保温蓋に使用する上記複数枚の薄葉紙としては、２〜１０枚のティッシュペーパーを使用するのがとくに好ましい。
ティッシュペーパーは、吸水性が高いことに加え、重ねた紙の間に空気層を含むほか１枚の紙の中にも多くの空孔を含んでいて断熱性を確保しやすいという特徴がある。また、量産されているために入手コストが低い点でも有利である。したがって、薄葉紙としてティッシュペーパーを用いる保温蓋は、低コストで製造されながらも好ましい作用をなすものといえる。
【発明の効果】
【００２０】
発明に係るティーカップの保温蓋によれば、断熱性が高いために抽出中のティーカップをよく保温でき、茶を美味しく抽出することができる。軽量であるうえに低コストで構成される。また、使用ずみティーバッグからの液だれを防止するためにも使用できる。
ティーバッグの下げひものを薄葉紙に貫通させておけば、抽出後に下げひもを引くだけでティーバッグの吸水を行わて液だれを防止できるようになる。
【００２１】
薄葉紙の下面となる側を低透水性のシートによって覆い、そのシートにティーバッグを通り抜けさせ得る開放可能な部分を設けておくなら、抽出中の蒸気から薄葉紙を保護して薄葉紙の断熱性や吸水能力を確保できるうえ、ティーバッグを薄葉紙に接触させることも容易である。
【００２２】
ティーカップにかぶせるとき上記複数枚の薄葉紙の上になる側に、抽出ずみのティーバッグを収容できるポシェット部分を設け、ティーバッグの下げひもを当該ポシェット部分にも通しておくと、抽出ずみのティーバッグを簡単にその部分に入れて保温蓋とともに捨てることができる。
ポシェット部分の内側にさらに吸水材を設けておけば、液だれが一層確実に防止されて好ましい。
【００２３】
ポシェット部分を折りたたみ可能にして、使用の前後には保温蓋の全体が平面状にされ得るよう構成すると、保温蓋をコンパクトな状態で販売し、またかさばらないように捨てることができる。
保温蓋には、上記の薄葉紙として２〜１０枚のティッシュペーパーを使用するのが、吸水性・断熱性・コストの面でとくに好ましい。
【発明を実施するための最良の形態】
【００２４】
発明の実施に関する第一の形態を図１および図２に示す。図１（ａ）は、保温蓋１を斜め上方からみた斜視図であり、同（ｂ）は斜め下方からみた斜視図である。また、図２（ａ）は保温蓋１の使用前の状態を示す縦断面図、同（ｂ）は使用後の状態を示す縦断面図である。図示の保温蓋１は、ティーカップ（図２（ａ）の符号Ａ）にかぶせる本体部分としての覆碗部１１を円盤状に形成し、その上部（以下では、ティーカップにかぶせて使用するとき上方となる部分を「上」という。逆に使用時に下方となる部分を「下」という）に略半円形の上板部１６を取り付けたものである。
【００２５】
覆碗部１１は、図２（ａ）に示すとおりシートや紙を複数枚積層することにより構成している。すなわち、まず樹脂（ＰＥＴやポリプロピレンなど）でできた薄い（厚さ０．０５〜０．３ｍｍ程度の）樹脂シート１２を最下層とし、その上に、図画用紙などの中厚（厚さ０．２〜０．５ｍｍ程度）の紙シート１３を貼る。図１（ｂ）に示すとおり、樹脂シート１２の中央付近には複数本の放射状の切込み１２ｂを形成し、もってその部分を、力を受けると上方または下方へたわんで開く開口部１２ａとしておく。また、紙シート１３は、外径が樹脂シート１２と同程度であって、上記切込み１２ｂの長さと同程度の直径をもつ穴１３ａを中央付近に有する環状のものを使用する。
図２（ａ）のとおり、紙シート１３の上面には、薄葉紙１４としてティッシュペーパーを３〜５枚重ねる。ティッシュペーパーは、秤量が１０g/m2程度と軽い家庭用薄葉紙である。紙シート１３と同じ外径をもつ円形にカットし、各葉間を接着剤（のり）等で貼り付けておく。こうした薄葉紙１４の上部に、樹脂シート１２と同じ材質・厚さを有していて上板部１６を兼ねる樹脂シート１５を重ね、シート１２・１５間を熱圧または接着により接合する。
【００２６】
上板部１６は、覆碗部１１の最上部に重ねた樹脂シート１５との一体物である２枚の樹脂シートによって形成する。２枚の樹脂シートは外周部のみを接合し、もって上板部１６の内部には、ポシェット部分１７という、左右に押し広げられ得る空間（図２（ｂ）参照）を設けている。ポシェット部分１７の一部には透明部分１７ａ（図１（ａ）参照）を設け、外から内部が見えるようにしてある。
図２（ａ）のように上板部１６を立てた状態では、使用の際に保温蓋１を上方から手で持つことが容易である。しかし、同（ａ）の仮想線に示すように、上板部１６を倒して覆碗部１１の上面にほぼ重なるよう折りたたむことが可能で、そのようにすると、保温蓋１は、使用前（販売時など）にコンパクトに包装し、または使用後にかさばらないように捨てることができる。
【００２７】
保温蓋１には、図２（ａ）に示すようにティーバッグ８を取り付けている。すなわち、ティーバッグ８の下げひも８ａを、樹脂シート１２における切込み１２ｂの隙間に差し入れ、また薄葉紙１４の中央に小穴をあけて通すことにより、覆碗部１１の中央を上下に貫通させている。下げひも８ａは、さらに上板部１６の２枚のシートの間に通し、その先端につまみ片８ｂを取り付ける。保温蓋１へのティーバッグ８の取り付けは販売前にすましておくとよいが、購入者が使用の直前に簡単に行えるよう構成しておくのもよい。
【００２８】
この保温蓋１は下記1)・2)の要領で使用する。
1)  ティーバッグ８を用いてティーカップＡに茶を抽出する際には、図２（ａ）のように、１００℃近い熱湯を入れたティーカップＡ内にティーバッグ８を漬け、覆碗部１１をティーカップＡの上にかぶせる。蓋をしたことにより、上方から大気中へ逃げる熱量が少なくなり、熱湯の温度が保たれやすく、蒸らし効果によって美味しい茶が抽出される。高温度で抽出されると、カテキン類（主にタンニン）等の香り成分もよく抽出される。覆碗部１１には、空気層や空孔を多く含む薄葉紙１４を使用しているため、保温蓋１の断熱性は高く、したがって美味しい茶が抽出されやすい。なお、薄葉紙１４は水分を吸収しやすいものだが、抽出中は下面を樹脂シート１２で覆われているため、湯気を吸って多量の水分を含んだり、または空気層を失ったりする恐れはない。
【００２９】
2)  抽出が終わると、保温蓋１の上部を手で押さえながらつまみ片８ｂを持って下げひも８ａをゆっくりと引き上げ、使用ずみのティーバッグ８を図２（ｂ）のとおり上板部１６のポシェット部分１７に収容する。このときティーバッグ８は、ポシェット部分１７内に到達するまでに、まず覆碗部１１の下面の樹脂シート１２における切込み１２ｂつきの開口部１２ａを押し上げ、紙シート１３の開口１３ａを通って薄葉紙１４に接触する。露出することによりティーバッグ８に接触した薄葉紙１４は、ティーバッグ８から水分を吸収する。しかも薄葉紙１４は、濡れて軟らかくなることにより伸びたり破れたりしてさらに広い面積でティーバッグ８と接触するようになり、かなりの量の水分をティーバッグ８から吸収する。最後には薄葉紙１４は大きく破れ、ティーバッグ８がポシェット部分１７内に進入し収容される。ポシェット部分１７に入った状態では、薄葉紙１４に水分が十分に吸収されているので、ティーバッグ８から液だれの生じることがない。
【００３０】
つづく図３には、発明の第二の実施形態としてティーカップ用保温蓋２を示している。図３（ａ）は下方からみた保温蓋２の斜視図、同（ｂ）は保温蓋２の一部断面図、また、同（ｃ）は保温蓋２を折りたたんだ状態を示す側面図である。
【００３１】
この保温蓋２は、図３（ａ）のとおり外形をピラミッドのような四角錐にし、その底部を、ティーカップを覆う覆碗部２１としたものである。四角錐の斜面に相当する部分にて上室部２６を形成し、その内部に、使用ずみティーバッグ８を収容できるポシェット部分２７（図３（ｂ）参照）を設けている。
【００３２】
保温蓋２における四角錐の各面は、厚さ０．２〜０．５ｍｍ程度の紙シート（表面の平滑な印刷用紙よりなる）により形成している。すなわち、図３（ｂ）に示す上室部２６の斜面各面と、底面にある覆碗部２１のシート２３とは、一体につながった上記の紙シートを素材としている。ただし、覆碗部２１のシート２３には、ティーバッグ８が通過し得る程度の直径をもつ円形の開口部２３ａを中央付近に形成している。
【００３３】
覆碗部２１では、上室部２６の斜面につながった上記シート２３の下面に樹脂シート２２を貼り付けるとともに、シート２３の上面に薄葉紙２４を重ねている。樹脂シート２２は、図１・図２の形態における樹脂シート１２と同様、ＰＥＴやポリプロピレンなどでできた厚さ０．０５〜０．３ｍｍ程度のシートであり、その中央付近には、図３（ａ）のように複数本の放射状の切込み２２ｂを形成することにより開放可能な開口部２２ａを設けている。開口部２２ａの大きさ（切込み２２ｂの長さ）は、シート２３の上記開口部２３ａの大きさ（直径）と同程度である。薄葉紙２４はティッシュペーパーであり、３〜５枚を重ね、周囲をシート２３に貼り付けることとする。
【００３４】
この保温蓋２も、容易に折りたためるように構成している。すなわち、図３（ａ）に示すように覆碗部２１と上室部２６の随所に、山折りまたは谷折りの折り目２１ａ・２６ａを設けている。これらの折り目２１ａ・２６ａを折り曲げながら左右から押さえつけることにより、保温蓋２は図３（ｃ）のように体積の小さい平面状のものになる。そのように折りたたむと、コンパクトに包装して販売することができ、使用後はかさばらないように捨てることができる。
【００３５】
保温蓋２にも、図示のとおりティーバッグ８を取り付けている。すなわち、ティーバッグ８の下げひも８ａを、覆碗部２１の樹脂シート２２における切込み２２ｂの隙間に差し入れ、また薄葉紙２４の中央に小穴をあけて通すことにより、覆碗部２１の中央を上下に貫通させる。下げひも８ａは、さらに上室部２６のポシェット部分２７内を通して頂部から外に出し、先端部につまみ片８ｂを取り付ける。こうしたティーバッグ８の取り付けは販売前に実施しておくのがよいが、購入者が使用の直前に簡単に行えるよう構成しておくのもよい。
【００３６】
茶を抽出する際には、図３（ａ）のように折り目２１ａ・２６ａを伸ばして保温蓋２を四角錐状に広げたうえ、ティーカップ内の熱湯の中にティーバッグ８を入れ、かつ保温蓋２の覆碗部２１をティーカップにかぶせる。これによりティーカップの保温性が向上するので、熱湯の温度が保たれやすく、蒸らし効果によって美味しい茶が抽出される。薄葉紙２４には空気層や空孔が多く含まれているので、覆碗部２１は高い断熱性を発揮する。また、薄葉紙２４の下面が樹脂シート２２で覆われているため、抽出中に薄葉紙２４が濡れて断熱性等を低下させる恐れがない。
【００３７】
抽出が終わると、上室部２６を手で押さえながら、つまみ片８ｂを持って下げひも８ａをゆっくりと引き上げ、使用ずみのティーバッグ８を上室部２６のポシェット部分２７に収容する。ティーバッグ８は、ポシェット部分２７に収容されるまでに、覆碗部２１の下面の樹脂シート２２における切込み２２ｂを押し広げて上方の薄葉紙２４を露出させたうえ、その薄葉紙２４に接触し、それにより水分を吸収される。さらに下げひも８ａを引き上げると、濡れた薄葉紙２４を破ってティーバッグ８がポシェット部分２７内に収容される。上室部２６の斜面の一部に透明部分を設けておくと、ティーバッグ８がポシェット部分２７に収容されたことが確認される。
【００３８】
図４には、第三の実施形態としての保温蓋３を示している。図４（ａ）は下方からみた保温蓋３の斜視図であり、同（ｂ）は保温蓋３を断面にて示す縦断面図である。図示のように、この保温蓋３は、ティーカップにかぶせられる大きさをもつ円形・平板状の覆碗部３１と、その外周に設けた上枠部３６などから形成している。
【００３９】
覆碗部３１は、中央に開口部３３ａを有する環状の紙シート３３に対し、その下面に樹脂シート３２を貼り付けるとともに上面に薄葉紙３４を重ねたものである。樹脂シート３２はＰＥＴやポリプロピレンなど低透水性をもつシートで、中央付近には、複数本の放射状の切込み３２ｂを有する開放可能な開口部３２ａを設けている。開口部３２ａの大きさ（切込み３２ｂの長さ）は、紙シート３３の開口部３２ａの大きさ（直径）と同程度である。上面に設ける薄葉紙３４はティッシュペーパーで、３〜５枚を重ね、周囲を紙シート３３に貼り付けている。こうした保温蓋３も、覆碗部３１の中央部を貫くようにティーバッグ８の下げひも８ａを通すことにより使用する。
【００４０】
一方、覆碗部３１の周囲に設けた上枠部３６は、上記の紙シート３３と同一の紙素材を使用して紙シート３３の周囲に一体化させている。保温蓋３の型くずれを防止できるように、紙シート３３とこの上枠部３６とにはやや厚手（厚さ０．３〜０．８ｍｍ）の紙を使用するのがよい。
【００４１】
この保温蓋３も、ティーカップの熱湯中にティーバッグ８をいれたとき、覆碗部３１をティーカップの上にかぶせて使用する。薄葉紙３４の空気層等がもつ断熱性能により、熱湯の温度が保たれやすく、したがって美味しい茶が抽出される。
【００４２】
茶の抽出が終わると、下げひも８ａをゆっくり引き上げることにより、使用ずみのティーバッグ８を薄葉紙３４に接触させたうえ覆碗部３１の上部に抜き出す。薄葉紙３４に接触している間にティーバッグ８の水分が薄葉紙３４に吸収されるので、抜き出されたティーバッグ８の水分保有量はかなり少なくなっている。したがって、ティーバッグ８はそのままで、または保温蓋３に載せた状態で、液だれを生じさせずにゴミ箱等に捨てることができる。
【００４３】
ティーカップの保温蓋について以上に三つの形態を示したが、これら以外の形態によっても発明を実施できることは言うまでもない。たとえば、下記のように実施することが可能である。
a)  第一・第二の実施形態（図１〜図３）のようにポシェット部分を有する保温蓋においては、ポシェット部分（１７・２７）の内部に、薄葉紙（１４・２４）以外の追加的な吸水材（たとえば脱脂綿や紙、ゲル剤）を内蔵させておくのもよい。そうすると、使用ずみティーバッグから液だれが起こる可能性は一層に低くなり、床面や衣服を汚すことがなくなる。
b)  ポシェット部分は、ゴム袋などのように弾性のある素材で形成するのもよい。そうすれば、ポシェット部分を比較的小さく形成することができ、保温蓋をコンパクト化することが可能である。
c)  覆碗部の上面や下面、さらには上板部（１６）や上室部（２６）、上枠部（３６）などに印象的なデザイン（意匠）を施すのも好ましい。そうすれば、保温蓋を使用して行う茶の抽出を視覚的に楽しくすることができる。
d)  ティーバッグに入れる茶葉は、紅茶、緑茶、中国茶、ハーブティー、健康茶など、何であってもよい。ティーバッグ（濾過袋）の形状や材質についても、特定のものに限定される理由はない。
【図面の簡単な説明】
【００４４】
【図１】発明の実施に関する第一の形態を示す図である。図１（ａ）は、保温蓋１を斜め上方からみた斜視図であり、同（ｂ）は斜め下方からみた斜視図である。
【図２】図２（ａ）は、図１の保温蓋１について使用前の状態を示す縦断面図、同（ｂ）は、保温蓋１の使用後の状態を示す縦断面図である。各部の厚さは多少大きめに表している。
【図３】発明の第二の実施形態を示す図である。図３（ａ）は保温蓋２を下方からみた斜視図、同（ｂ）は保温蓋１の一部の断面図（厚さは大きめに示している）、また同（ｃ）は、保温蓋２を折りたたんだ状態を示す側面図である。
【図４】発明の第三の実施形態を示す図である。図４（ａ）は保温蓋３を下方からみた斜視図であり、同（ｂ）は保温蓋３を断面にて示す縦断面図（厚さは大きめに示している）である。
【図５】ティーカップ用の従来の保温蓋を示す縦断面図である。
【符号の説明】
【００４５】
１・２・３  保温蓋
８  ティーバッグ
８ａ  下げひも
１１・２１・３１  覆碗部（ティーカップを覆う部分）
１２・２２・３２  樹脂シート（低透水性のシート）
１２ａ・２２ａ・３２ａ  開口部（開放可能な部分）
１４・２４・３４  薄葉紙
１７・２７  ポシェット部分
【図１】
2006238906.tif 000003
【図２】
2006238906.tif 000004
【図３】
2006238906.tif 000005
【図４】
2006238906.tif 000006
【図５】
2006238906.tif 000007